(57)【要約】【課題】ストレージに保存されている情報ファイルが削除された場合には、削除された情報ファイルの取得が可能な情報管理システムを合理的に構成する。【解決手段】通信端末Ｃにおいて、ストレージのディレクトリを指定し、異なる日時を指定することにより、管理サーバＡにおいて、旧い日時のディレクトリのファイル構成に含まれるが、新しい日時のディレクトリのファイル構成には含まれない情報ファイルを差分情報抽出部２６で抽出し、このように抽出した情報ファイルを取得対象に設定し、定情報で特定される情報ファイルと同一又は最も近い内容の情報ファイルを取得対象として前記通信ネットワーク上で検索し、検索した情報ファイルを取得してストレージに保存する情報ファイル復元部２７を備えた。【選択図】図２
2009104466.tif 000002
【特許請求の範囲】
【請求項１】
コンピュータと、このコンピュータにアクセス可能なストレージとで構成されている情報管理システムであって、
前記コンピュータでの操作内容を示す履歴情報を取得して保存する履歴情報保存部が備えられ、
前記コンピュータにおいて、前記ストレージのディレクトリを指定し、かつ、異なる日時を指定した場合には、前記履歴情報保存部に保存されている履歴情報を少なくとも用いて、前記指定された異なる日時に前記指定されたディレクトリ内に存在する情報ファイルを特定し得る特定情報を取得する特定情報取得部が備えられ、
前記異なる日時のうち、新しい日時に存在せず旧い日時に存在する情報ファイルの特定情報を抽出する差分情報抽出部を備え、
この差分情報抽出部で抽出した特定情報で特定される情報ファイルと同一又は最も近い内容の情報ファイルを取得対象として検索し、検索した情報ファイルを取得する情報ファイル復元部が備えられている情報管理システム。
【請求項２】
前記情報ファイル復元部は、前記取得対象の情報ファイルが保存されているコンピュータを、前記履歴情報保存部に保存されている履歴情報に基づいて特定し、このように特定したコンピュータから、取得対象の情報ファイルを取得する処理を行う請求項１記載の情報管理システム。
【請求項３】
コンピュータと、このコンピュータにアクセス可能なストレージとを備えたシステムにおける情報管理プログラムであって、
前記コンピュータでの操作内容を示す履歴情報を取得して保存する履歴情報保存部が備えられ、
前記コンピュータにおいて、前記ストレージのディレクトリを指定し、かつ、異なる日時を指定した場合には、前記履歴情報保存部に保存されている履歴情報を少なくとも用いて、前記指定された異なる日時に前記指定されたディレクトリ内に存在する情報ファイルを特定し得る特定情報を取得する特定情報取得機能を、前記コンピュータによって実現し、
前記異なる日時のうち、新しい日時に存在せず旧い日時に存在する情報ファイルの特定情報を抽出する差分情報抽出機能を、前記コンピュータによって実現し、
この差分情報抽出機能で抽出した特定情報で特定される情報ファイルと同一又は最も近い内容の情報ファイルを取得対象として検索し、検索した情報ファイルを取得する情報ファイル復元機能を、前記コンピュータによって実現する情報管理プログラム。
【発明の詳細な説明】
【技術分野】
【０００１】
本発明は、コンピュータと、このコンピュータにアクセス可能なストレージとで構成されている情報管理システム及び情報管理プログラムに関し、詳しくは、ストレージに保存されている情報を管理する技術に関する。
【背景技術】
【０００２】
ファイルサーバのファイル（本発明の情報ファイル）に対する操作を管理する技術として、ファイルサーバに保存されているファイルの属性を属性履歴テーブルに記憶しておき、ファイルの属性が変更された場合には、属性履歴テーブルから関連するファイルを抽出してモニタに表示し、抽出したファイルの属性変更の要否の確認を行うものが存在する（特許文献１参照）。
【０００３】
この特許文献１では、ファイルが属する階層やフォルダ等を「属性」とする概念で捉えており、ファイルの移動が行われた場合等に、属性履歴テーブルに情報が記憶され、特定のファイルの属性を変更した場合に、関連するファイルの属性の変更の要否を確認するために、関連するファイルをモニタに表示している。
【０００４】
また、ファイルサーバから削除されたファイル（本発明の情報ファイル）を管理する技術として、通信ネットワークにファイルサーバと、クライアント（本発明の通信端末）と、ごみ箱サーバとを備え、ファイルサーバからファイルが削除された場合には、削除されたファイルをごみ箱サーバに格納しておき、必要に応じてごみ箱サーバからファイルを復元できるものが存在する（特許文献２参照）。
【０００５】
この特許文献２では、クライアントからファイルサーバのファイルを削除する指示を行うことにより、削除対象のファイルを通信ネットワークを介してごみ箱サーバに格納するとともに、ファイルサーバからファイルを削除する。次に、ファイルサーバから削除したファイルをファイルサーバに戻す場合には、クライアントからの指示により削除サーバに存在するリストが表示され、このリストからファイルを選択することにより、ごみ箱サーバから選択されたファイルが通信ネットワークを介して送られることにより復元が完了する。
【０００６】
【特許文献１】特開２００５‐１５７４６１号公報  （段落番号〔００２０〕〜〔００２３〕、〔００２６〕〜〔００６７〕図１〜図８）
【特許文献２】特開２００２−３６６４１０号公報  （段落番号〔００１７〕〜〔００２０〕、図３、図４、図９）
【発明の開示】
【発明が解決しようとする課題】
【０００７】
ファイルサーバに保存されている情報ファイルは、通信端末から内容の変更や更新が行われることもあり、情報ファイルに対して通信端末から誤った編集が行われることや、情報ファイルが通信端末から誤って削除されることもある。このような不適正な操作は通信端末を操作するユーザの知識が不足していることや、ユーザの誤操作に起因することが多い。
【０００８】
知識が豊富なオペレータであっても、ファイルサーバに保存されている情報ファイルに対する誤操作もある。このような場合には、オペレータが誤操作であることを認識していないことも多い。このため、ファイルサーバに保存されている情報ファイルが削除されていることや、内容が変更されていることを発見した場合に、この削除や内容の変更が何時の時点で行われたのか判断できず、どのオペレータが行ったのか把握できないのが現状である。
【０００９】
このようにファイルサーバから情報ファイルが誤って削除された場合には、復元する必要があるものの、特許文献２に示されるようにごみ箱サーバを備えるものでは、通信ネットワークに新たにサーバを備える必要があり、このごみ箱サーバを管理するための処理も必要とするため改善の余地がある。
【００１０】
本発明の目的は、ストレージに保存されている情報ファイルが削除された場合でも、削除された情報ファイルの取得が可能な情報管理システムを合理的に構成する点にある。
【課題を解決するための手段】
【００１１】
本発明の特徴は、コンピュータと、このコンピュータにアクセス可能なストレージとで構成されている情報管理システムであって、前記コンピュータでの操作内容を示す履歴情報を取得して保存する履歴情報保存部が備えられ、前記コンピュータにおいて、前記ストレージのディレクトリを指定し、かつ、異なる日時を指定した場合には、前記履歴情報保存部に保存されている履歴情報を少なくとも用いて、前記指定された異なる日時に前記指定されたディレクトリ内に存在する情報ファイルを特定し得る特定情報を取得する特定情報取得部が備えられ、前記異なる日時のうち、新しい日時に存在せず旧い日時に存在する情報ファイルの特定情報を抽出する差分情報抽出部を備え、この差分情報抽出部で抽出した特定情報で特定される情報ファイルと同一又は最も近い内容の情報ファイルを取得対象として検索し、検索した情報ファイルを取得する情報ファイル復元部が備えられても良い。
【００１２】
この構成によると、コンピュータにおいてストレージのディレクトリを指定し、異なる日時を指定した場合には、指定されたディレクトリにおいて、異なる日時に存在する情報ファイルを特定し得る特定情報を特定情報取得部が取得する。特定情報としてファイル名と属性情報とを想定できるものであり、例えば、異なる日時として現在の日時と、これ以前の日時とが指定された場合には、特定情報取得部が、履歴情報保存部に保存されている履歴情報に基づいて、指定されたディレクトリにおいて、現在存在する情報ファイルの特定情報と、過去の日時に存在していた情報ファイルの特定情報とを取得する。そして、異なる日時のうち、新しい日時に存在せず、旧い日時に存在する情報ファイルの特定情報を差分情報抽出部が抽出し、このように抽出した特定情報で特定される情報ファイルと同一又は最も近い内容の情報ファイルを取得対象として、情報ファイル復元部が取得する。その結果、ストレージに保存されている情報ファイルが削除された場合でも、削除された情報ファイルの取得が可能な情報管理システムが合理的に構成された。
【００１３】
本発明は、前記情報ファイル復元部が、前記取得対象の情報ファイルが保存されているコンピュータを、前記履歴情報保存部に保存されている履歴情報に基づいて特定し、このように特定したコンピュータから、取得対象の情報ファイルを取得する処理を行っても良い。これによると、履歴情報保存部に保存されている履歴情報に基づいて取得対象の情報ファイルを通信ネットワークを介して取得することが可能となる。
【００１４】
本発明の特徴は、コンピュータと、このコンピュータにアクセス可能なストレージとを備えたシステムにおける情報管理プログラムであって、前記コンピュータでの操作内容を示す履歴情報を取得して保存する履歴情報保存部が備えられ、前記コンピュータにおいて、前記ストレージのディレクトリを指定し、かつ、異なる日時を指定した場合には、前記履歴情報保存部に保存されている履歴情報を少なくとも用いて、前記指定された異なる日時に前記指定されたディレクトリ内に存在する情報ファイルを特定し得る特定情報を取得する特定情報取得機能を、前記コンピュータによって実現し、前記異なる日時のうち、新しい日時に存在せず旧い日時に存在する情報ファイルの特定情報を抽出する差分情報抽出機能を、前記コンピュータによって実現し、この差分情報抽出機能で抽出した特定情報で特定される情報ファイルと同一又は最も近い内容の情報ファイルを取得対象として検索し、検索した情報ファイルを取得する情報ファイル復元機能を、前記コンピュータによって実現しても良い。当然ながら、このような情報管理プログラムも上述した情報管理システムで述べた作用効果を得ることができ、さらに上述した付加的技術を組み込むことも可能である。
【発明を実施するための最良の形態】
【００１５】
以下、本発明の実施形態を図面に基づいて説明する。
〔情報管理システム〕
図１に示すように、コンピュータで成る管理サーバＡと、コンピュータで成る複数の通信端末Ｃ（クライアントＰＣ）とが通信ネットワークＬで接続され、これらによって通信ネットワークにおける情報管理システムが構成されている。本発明では、管理サーバＡや通信端末Ｃに備えたハードディスク（内蔵するもの、及び、外付けのものを含む）をストレージとしている。
【００１６】
前記通信ネットワークＬは、企業や学校等の限られた施設内において情報を物理的に送るケーブルと、ＬＡＮスイッチやハブ等で成る中継器等を備えたＣＳＭＡ／ＣＤ（Carrier Sense Multiple Access with Collision Detection）方式のイーサネット（Ethernet）（商標）型のＬＡＮとして構築されたものであるが、この通信ネットワークＬとしてイーサネット型のＬＡＮ以外に、インターネットの技術を用いたイントラネットで構築されるものや、ＷＡＮ（Wide Area Network）の技術によって構築されるものでも良い。
【００１７】
前記管理サーバＡは、コンピュータ本体１、サーバモニタ２、キーボード３、マウスＭ等を備え、前記通信端末Ｃは、コンピュータ本体７、モニタ８、キーボード９、トラックパッドＴ、マウスＭ等を備えている。
【００１８】
本発明のネットワーク管理システムでは、前記通信端末Ｃにおいて実行された処理に対応する操作情報を操作ログと称し、履歴情報として用いている。また、通信端末Ｃから通信ネットワークＬに送信される操作ログには、通信端末Ｃを識別する端末識別情報と、取得した日時情報とが与えられる。尚、本実施形態では、端末識別情報として任意に設定したユニークな情報を用いているが、これに代えてＭＡＣアドレスやＩＰアドレスを用いても良い。
【００１９】
〔システムの制御系・通信端末〕
これらの表示を実現する制御系の概要を図２のように示すことが可能である。つまり、通信端末Ｃは、モニタ８に必要な情報をアイコン等のイメージで表示することによりアプリケーション１１の実行を制御するＧＵＩ部１２を備えると共に、操作ログを生成する操作ログ生成部１４と、この操作ログ生成部１４からの操作ログを通信ネットワークＬから管理サーバＡに送信する情報送受信ユニット１５とを備えている。
【００２０】
更に、この通信端末Ｃには、ストレージに接続し、ディレクトリを指定し、異なる日時を指定して前記管理サーバに送り出す情報指定部１６と、この情報指定部１６から送り出された情報に基づいて管理サーバから送られた情報を取得して前記モニタ８に表示する情報表示部１７とを備えている。
【００２１】
この情報表示部１７によって取得された情報は図３に示すようにモニタ８に表示されたファイル表示画面５０において表示される。このファイル表示画面５０は、ストレージで指定したディレクトリにおいて、指定した日時のうち新しい日時（実施形態では現在の日時）に存在するファイル構成を表示するファイル表示領域５４と、このディレクトリにおいて指定した過去の日時に存在したファイル構成のうち、現在の日時のファイル構成と相違する情報ファイルと、相違するに至った情報として、「削除」や「移動」等の文字情報とが表示されるファイル確認領域６４を上下に並列的に配置した構造を有している。
【００２２】
本実施例では情報ファイルについて相違するに至った情報に関連する処理を記載しているが、本発明はディレクトリに含まれるファイル構成だけを処理対象とするものではなく、ディレクトリに含まれるフォルダを処理対象に含むものである。このように処理対象にフォルダを含むため、ディレクトリにおいて指定した過去の日時に存在したフォルダのうち、現在の日時に存在するフォルダと相違する場合には、その相違するフォルダと、相違するに至った情報として、「削除」や「移動」等の文字情報とで成る遷移情報が表示されることになる。尚、ディレクトリにフォルダと情報ファイルとが混在する場合には、フォルダと情報ファイルとについて処理が行われ、夫々とも異なる日時において相違する場合には、フォルダと情報ファイルとについて表示が行われる。
【００２３】
このファイル表示領域５４とファイル確認領域６４とに表示される情報は前記管理サーバＡから取得される。管理サーバＡでは、通信端末Ｃからストレージのディレクトリを指定する情報と、異なる２つの日時を指定する情報を受信した場合には、指定されたディレクトリにおいて指定された日時に存在するファイル構成を、既に取得している操作ログから取得し、指定された２つの日時のファイル構成に相違することを判定した場合には、相違する情報ファイルを取得対象に設定して、同一又は最も近い内容の情報ファイルを取得する。
【００２４】
尚、本実施形態では、異なる日時として現在と、これ以前の日時とを指定した状況における処理形態を説明するが、異なる日時として、過去の日時と、これより更に過去の日時を指定しても良く、異なる日時として３つ以上の日時を指定しても良い。これらの処理を実現する構成、及び、制御形態は以下に説明する。
【００２５】
〔管理サーバ〕
前記管理サーバＡは、通信ネットワークＬに対して情報の送受信を行う情報送受信ユニット２１、この情報送受信ユニット２１で受信した操作ログを取得する操作ログ取得部２２、この操作ログ取得部２２で取得した操作ログを保存するようにメモリやハードディスクＨＤ等を有する履歴情報保存部２３を備え、この履歴情報保存部２３からの操作ログに基づいて管理画面（図示せず）を生成する管理画面生成部２４とを備えている。
【００２６】
操作ログは、通信端末Ｃでオペレータが行った操作内容を示す情報を含むものであるが、この操作ログには、通信端末Ｃから前記ストレージのディレクトリや情報ファイルに接続した際に、ディレクトリと、情報ファイルに対する操作情報（移動や変更等の情報）と、そのディレクトリや情報ファイルを特定し得る情報（例えば、ディレクトリ名（フォルダ名）、ファイル名、属性情報、更新情報等）を含むものである。また、履歴情報保存部２３は、通信端末Ｃから要求があった場合には、指定された日時におけるディレクトリの存否、及び、ディレクトリが存在する場合には、そのディレクトリに含まれるフォルダやファイル構成に含まれるファイルを特定し得る特定情報を取得する機能を有する。
【００２７】
この履歴情報保存部２３に保存されるストレージのディレクトリの情報と、ファイル構成を特定し得る情報とは、前述したように操作ログから取得するものを想定しているが、現在の日時のファイル構成については、例えば、ストレージにアクセスして、そのストレージから取得しても良い。
【００２８】
この管理サーバＡは、特定情報取得部２５（特定情報取得機能の一例）と、差分情報抽出部２６（特定情報抽出機能の一例）と、情報ファイル復元部２７（情報ファイル復元機能の一例）と、情報指定部Ｘとを備えている。
【００２９】
前記特定情報取得部２５は、前記通信端末Ｃから、ストレージのディレクトリを指定し、異なる日時を指定する情報が与えられた場合に、前記履歴情報保存部２３に保存されている操作ログに基づいて、指定されたディレクトリにおいて、指定された日時におけるファイル構成に含まれる情報ファイルのファイル名と属性情報と更新情報を特定情報として取得する。この特定情報取得部２５における具体的な処理形態は後述する〔ファイル表示処理〕において説明する。
【００３０】
前記差分情報抽出部２６は、前記特定情報取得部２５で取得した、異なる日時におけるファイル構成の特定情報を比較することにより、異なる日時においてファイル構成が相違することを判定した場合に、異なる日時のうち、新しい日時（現在の日時）に存在せず、旧い日時に存在する情報ファイルの特定情報を抽出する。
【００３１】
本発明では、差分情報抽出部２６の処理として、２つの異なる日時に存在する情報ファイルであるが、新しい日時（現在の日時）に存在する情報ファイルの内容が、旧い日時に存在する情報ファイルと比較して大きく変更されている場合にも、旧い日時に存在する情報ファイルの特定情報を抽出するように処理形態を設定しても良い。
【００３２】
このように抽出された特定情報は、前述したようにファイル名、属性情報、更新情報を含むものであり、この特定情報に基づいて、前述したように図３に示すファイル表示画面５０のファイル確認領域６４において、現在のファイル構成との差分として捉え得る情報ファイルと、「削除」や「移動」、「大幅な修正」等の文字情報とが表示される。
【００３３】
異なる日時におけるファイル構成が相違する場合の具体例として、過去のファイル構成に含まれる情報ファイルが、現在のファイル構成に含まれない場合や、これとは逆に、現在のファイル構成に含まれる情報ファイルが過去のファイル構成に含まれない場合、現在と過去のファイル構成に含まれる情報ファイルであるが改変されている場合を例に挙げることができ、このように相違する原因として、情報ファイルの削除、情報ファイルの移動、情報ファイルの編集等が考えられる。
【００３４】
前記情報ファイル復元部２７は、前記差分情報抽出部２６で抽出された特定情報で特定し得る情報ファイルと同一又は最も近い内容の情報ファイルを取得対象として前記通信ネットワーク上で検索し、検索した情報ファイルを取得する。
【００３５】
前記情報指定部Ｘは、この管理サーバＡにおいて、ストレージのディレクトリを指定し、異なる日時を指定する際に機能するものであり、具体的には、管理モニタ５に対してディレクトリの指定と、異なる日時の指定とを行うダイアログを表示し、このダイアログに入力された情報を前記履歴情報保存部２３に与える処理を行う。
【００３６】
尚、操作ログ取得部２２と、管理画面生成部２４と、特定情報取得部２５と、差分情報抽出部２６と、情報ファイル復元部２７と、情報指定部Ｘとは、その処理を実行する手段（プログラムやモジュール等）がハードウエアに読み込まれることでその処理が実行されるものであるが、これらをハードウエアとの組み合わせで構成して良く、ロジック等を組み合わせたハードウエアのみで構成しても良い。
【００３７】
〔ファイル表示処理〕
この情報管理システムでは、図４に示すフローチャートに従って処理が行われる。つまり、通信端末Ｃの情報指定部１６においてストレージのディレクトリを指定し、現在と、これ以前の日時との異なる日時を指定した場合には、この情報が情報送受信ユニット１５から通信ネットワークＬを介して管理サーバＡに送信される（＃１０１ステップ）。
【００３８】
尚、情報指定部１６では、通信端末Ｃのモニタ８に入力ダイアログ（図示せず）を表示し、この入力ダイアログにおいて、オペレータが、任意にストレージのディレクトリを指定し、任意に異なる日時を指定する操作を許し、入力された情報は、管理サーバＡに送信される。
【００３９】
管理サーバＡでは、この管理サーバＡに備えられた情報管理プログラムが、通信端末Ｃからの情報に基づいて表示情報をセットする（＃２００ステップ）。この処理を図５のフローチャートのように示すことが可能である。
【００４０】
つまり、管理サーバＡでは、通信端末Ｃからの情報を情報送受信ユニット２１を介して受信することにより、特定情報取得部２５が、指定された日時のうち、新しい日時（実施形態では現在の日時）におけるディレクトリのファイル構成の特定情報を、履歴情報保存部２３に保存されている操作ログから取得して表示情報にセットすると共に、指定された日時のうち、旧い日時におけるディレクトリのファイル構成の特定情報を、履歴情報保存部２３に保存されている操作ログから取得する（＃２０１、＃２０２ステップ）。
【００４１】
この特定情報を取得する処理として、特定情報取得部２５は、前記履歴情報保存部２３に保存されている操作ログから、指定されたディレクトリに関連する情報を検索する（例えば、ディレクトリ名に基づいてフィルタリングを行う）。この検索により、そのディレクトリに情報ファイルを生成した際の情報や、そのディレクトリに存在した情報ファイルを削除した際の情報や、そのディレクトリの情報ファイルに対するアクセスの情報等に基づいて、指定された２つの日時において、そのディレクトリに存在した情報ファイルを特定し得る特定情報を取得する。この特定情報としては、情報ファイルのファイル名と、属性情報と、更新情報とが含まれる。
【００４２】
特に、このように指定したディレクトリのファイル構成に含まれる現在の情報ファイルの特定情報を取得する際には、ストレージに接続して、このストレージからディレクトリのファイル構成に含まれる情報ファイルの特定情報を取得する処理形態を採用しても良い。
【００４３】
次に、取得した２種の特定情報は差分情報抽出部２６に与えられ、この差分情報抽出部２６は、２種の特定情報を比較し、情報ファイルの相違の有無の判定を行う。そして、相違することを判定した場合には、相違する情報ファイル（旧い日時のディレクトリにのみ存在する情報ファイル）を特定する特定情報を抽出して表示情報にセットする（＃２０３〜＃２０５ステップ）。
【００４４】
また、表示情報には、特定情報に基づいて設定されるアイコンと、「削除」や「移動」、「大幅な修正」等の文字情報を含んでいる。
【００４５】
このようにセットされた表示情報は、この処理を要求した通信端末Ｃに送信され、その通信端末Ｃでは、管理サーバＡから送信された表示情報が図３に示す如くモニタに表示される（＃２０６、＃１０２ステップ）。
【００４６】
ファイル表示画面５０は、前述したように、ファイル表示領域５４とファイル確認領域６４を上下に並列的に配置した構造を有している。ファイル表示領域５４には、指定したディレクトリにおいて、現在存在するファイル構成に含まれる全ての情報ファイルに対応するアイコンＦｂとファイル名と属性情報とをファイル表示領域５４に一覧化して表示する。ファイル確認領域６４には、指定したディレクトリにおいて、指定された過去の日時に存在するファイル構成に含まれる情報ファイルのうち、現在のファイル構成に含まれない過去の情報ファイルのアイコンＦｃをファイル名と属性情報とともに表示し、更に、夫々の近傍には、相違に至る状況を示す遷移情報として「削除」「移動」等の文字情報が表示される。尚、ファイル表示領域５４の側部にスクロールバー５４Ｓが形成され、ファイル確認領域６４の側部にスクロールバー６４Ｓが形成されている。
【００４７】
次に、ファイル確認領域６４に表示されたアイコンＦｃを、ユーザがカーソルＣｕで選択してクリックした場合には、選択されたアイコンＦｃに対応する特定情報が管理サーバＡに送信され、管理サーバＡでは、その特定情報で特定される情報ファイルと同一又は最も近い内容の情報ファイルを取得対象として前記通信ネットワーク上で検索し、検索した情報ファイルを保存する通信端末Ｃ（コンピュータ）を特定し、この通信端末Ｃから情報ファイルを取得する（＃１０３、＃３００ステップ）。
【００４８】
この情報ファイル取得（復元）の処理（＃３００ステップ）は、管理サーバＡに備えられた情報管理プログラムが実現する。つまり、図６のフローチャートに示すように、選択された特定情報に対応する情報ファイルを取得対象にセットし（＃３０１ステップ）、履歴情報保存部２３に保存されている操作ログを解析することにより、取得対象の情報ファイルと同じファイル名、同じ属性情報の情報ファイルを保存したコンピュータ（通信端末Ｃ、管理サーバＡ）の存否を判定し（＃３０２ステップ）、存在しない場合には（＃３０３ステップのNo分岐）取得不能であることを示すメッセージを通信端末Ｃに送信し、このメッセージがモニタ８に表示される（＃３０４ステップ）。
【００４９】
取得対象の情報ファイルがコンピュータに保存されたことを判定した場合には、履歴情報保存部２３に保存されている操作ログを解析し、取得対象の情報ファイルと各々のコンピュータに保存されている情報ファイルとの改変の度合いを算出する（＃３０５ステップ）。情報ファイル間の改変の度合いとしては、各々のコンピュータに保存された後の修正回数を用いることができる。また、情報ファイルのファイルサイズが既知である場合には、ファイルサイズの差を用いることができる。全てのコンピュータに対して＃３０５の処理が行われた後、改変の度合いが最小の情報ファイルを復元対象として、この復元対象が保存されているコンピュータに通信ネットワークＬを介して接続し、その情報ファイルを取得（複写）し（＃３０６ステップ）、このように取得した情報ファイルを、前記ディレクトリに保存する（＃３０７ステップ）。なお、＃３０６ステップの処理において、改変の度合いが所定以上の場合には、復元しない構成とすることもできる。また、＃３０３ステップで取得対象の情報ファイルを保存したコンピュータが存在しない場合に、操作ログを解析することにより、管理サーバ上に取得対象ファイルを修正したファイルの存否を判定し、存在する場合にはそのファイルを取得対象として、上記の処理を行う構成とすることもできる。
【００５０】
このように、ファイル表示画面５０の表示に基づいて取得対象の情報ファイルをユーザが指定することにより、取得対象の情報ファイルと同一または最も近い内容の情報ファイルが、先に指定したディレクトリに復元されるので、復元された情報ファイルを用いた処理も可能となる（＃１０２、＃１０３、＃３００、＃１０４ステップ）。
【００５１】
〔ファイル表示処理の別実施形態〕
ファイル表示画面５０として、図７に示すように、ストレージにおける現在のファイル構成と、過去のファイル構成とを対比して表示するものを用いても良い。
【００５２】
つまり、上部にアドレスバー５１と、複数のツール用のアイコン５２等が配置され、この下部位置にファイル指定領域５３（ツリービュー）と、ファイル表示領域５４とが配置されると共に、これらの右側に並列する位置関係で、ファイル確認部６０として、上部位置に検索日時を入力する検索日時入力領域６１と、これに対応するＯＫボタン６２と、キャンセルボタン６３と、この下部に過去のファイル構成が表示されるファイル確認領域６４とが配置される。更に、この下方位置に、前記検索日時入力領域６１に入力した日を基準にした前日と翌日のファイル構成を確認するための日付変更ボタン６５と、前記検索日時入力領域に入力した時刻を基準にした１時間以前と１時間後のファイル構成を確認するための時刻変更ボタン６６とが配置されている。
【００５３】
尚、ファイル表示領域５４の側部にスクロールバー５４Ｓが形成され、ファイル確認領域６４の側部にスクロールバー６４Ｓが形成されている。
【００５４】
このファイル表示画面５０では、アドレスバー５１に情報を入力することや、アイコン５２をカーソルＣｕで操作すること、あるいは、ファイル指定領域５３に表示されたフォルダの１つを、マウスＭの操作によるカーソルＣｕで指定することにより、ストレージの所定のディレクトリを指定することが可能であり、指定されたディレクトリのファイル構成に対応したアイコンがツリー形式でファイル指定領域５３に表示されると共に、その情報ファイルに対応するアイコンＦｂと、ファイル名と、属性情報とがファイル表示領域５４に表示され、更に、アイコンＦｂの近傍にファイルの名称等が表示される。
【００５５】
このファイル表示画面５０では、履歴情報保存部２３に保存されている操作ログから特定情報取得部２５が取得した特定情報に基づいて表示を行うものを想定しているが、ストレージに接続して、指定したディレクトリのファイル構成に含まれる情報ファイルの特定情報を取得してファイル表示領域５４に表示するものであっても良い。
【００５６】
また、前記検索日時入力領域６１に対して過去の日時の情報をユーザが入力し、ＯＫボタン６２をカーソルＣｕで選択してクリック操作した場合には、指定された過去の日時の情報と、ディレクトリを指定する情報が管理サーバＡに送信され、このように送信された情報に基づいて差分情報抽出部２６が指定された過去の日時における特定情報を抽出し、通信端末Ｃに送信する結果、前記ファイル確認領域６４には、指定された過去の日時にのみ存在する情報ファイル（現在は存在しない情報ファイル）に対応するアイコンＦｃと、ファイル名と、属性情報とが表示される。
【００５７】
そして、ファイル確認領域６４に表示されている過去の情報ファイルのアイコンＦｃをユーザがカーソルＣｕで選択してクリックした場合には、図８に示すように、クリックされたアイコンＦｃを取得対象として、管理サーバＡにおいて取得対象と同一又は最も近い内容の情報ファイルが取得され、ディレクトリにおいて、この通信端末Ｃで指定されたディレクトリに保存される結果、ファイル表示領域５４には取得した情報ファイルのアイコンＦｘが表示され、このファイルのファイル名と属性情報とが表示され、このように取得した情報ファイルが、取得対象と同一でない場合には、同図に示すように（不完全なデータですが）等のメッセージも併せて表示される。
【００５８】
〔発明の概念〕
このように、本発明では、通信端末Ｃにおいて、ストレージのディレクトリを指定し、異なる日時を指定した場合には、異なる日時のうち新しい日時（実施形態では現在の日時）においてディレクトリのファイル構成に含まれる情報ファイルのアイコンＦｂがファイル表示領域５４表示されると共に、異なる日時のうち旧い日時に対応して、この旧い日時にのみ存在する情報ファイルのアイコンＦｃがファイル確認領域６４に表示される。
【００５９】
そして、このファイル確認領域６４に表示されたアイコンＦｃをカーソルＣｕで指定してクリックする等の操作を行うだけで、その消滅ファイルと同一の内容の情報ファイル、又は、近似する内容の情報ファイルが取得され、ストレージにおいて既に指定されているディレクトリに保存される。このように保存された情報ファイルは、そのアイコンＦｘ及び属性情報等がファイル表示領域５４に表示されるものとなり、このアイコンＦｘをカーソルＣｕで指定してクリックすることにより、その情報ファイルを開いてアプリケーション１１において処理することも可能となる。
【００６０】
〔別実施形態〕
本発明は、上記した実施の形態以外に以下のように構成しても良い。
【００６１】
（ａ）管理サーバＡに備えたハードディスク、あるいは、通信端末Ｃに備えたハードディスクを情報管理対象のストレージとする。この場合、通信端末Ｃあるいは管理サーバＡから任意のストレージのディレクトリを指定し、異なる日時を指定することにより、特定情報を取得し、取得対象のファイルを設定し、取得対象の情報ファイルと同一又は最も近い内容の情報ファイルを取得する処理を可能にする。
【００６２】
（ｂ）この処理を管理サーバＡを用いずに、通信ネットワークＬに接続する通信端末Ｃにおいて実現する。つまり、通信端末Ｃに履歴取得ユニット２２、履歴情報保存部２３、特定情報取得部２５、差分情報抽出部２６、情報ファイル復元部２７等を通信端末Ｃに備えることにより、指定した日時のうち新しい日時に存在するファイル構成をモニタ８に表示し、このディレクトリにおいて指定した旧い日時に存在したファイル構成のうち、新しい日時のファイル構成と相違する情報ファイルを取得対象に設定し、取得対象の情報ファイルと同一又は最も近い内容の情報ファイルを取得する処理が可能になる。
【００６３】
（ｃ）履歴情報保存部が、ストレージの各ディレクトリのファイル構成をリスト化して保存し、ファイル構成が変更される毎にファイル構成を更新するように構成し、特定情報取得部２５はディレクトリを指定することによりリスト化されて保存されているファイル構成から特定情報を取得するように処理形態を設定する。
【００６４】
特に、各ディレクトリのファイル構成をリスト化して保存する際の保存形態として、ファイル構成が更新される毎に日時情報を付して保存しておくことにより、特定情報が日時を指定してディレクトリのファイル構成の特定情報を取得する際に、履歴情報保存部２３にリスト化して保存されているファイル構成を日時情報に基づいて取得する処理も可能となる。
【００６５】
（ｄ）異なる日時として、過去の特定の日時と、これ以前の日時とを指定する。このように、過去の２つの日時を指定した場合には、新しい日時においてディレクトリのファイル構成に含まれない情報ファイルであるが、これ以前の日時においてディレクトリのファイル構成に含まれる情報ファイルを取得対象に設定して取得することになる。尚、このように取得した情報ファイルは例えば、ストレージの保存用の領域等に保存される。
【図面の簡単な説明】
【００６６】
【図１】通信ネットワークの概要を示す図
【図２】管理サーバと通信端末等の構成を示すブロック回路図
【図３】ファイル表示画面を示す図
【図４】ファイル表示処理のフローチャート
【図５】表示情報取得の処理を示すフローチャート
【図６】情報ファイル取得の処理を示すフローチャート
【図７】別実施形態のファイル表示画面を示す図
【図８】別実施形態のファイル表示画面の復元時の表示状態を示す図
【符号の説明】
【００６７】
８            モニタ
１７          情報表示部
２３          履歴情報保存部
２５          特定情報取得部・特定情報取得機能
２６          差分情報抽出部・差分情報抽出機能
２７          情報ファイル復元部・情報ファイル復元機能
Ａ            管理サーバ・コンピュータ
Ｃ            通信端末・コンピュータ
Ｌ            通信ネットワーク
【図１】
2009104466.tif 000003
【図２】
2009104466.tif 000004
【図３】
2009104466.tif 000005
【図４】
2009104466.tif 000006
【図５】
2009104466.tif 000007
【図６】
2009104466.tif 000008
【図７】
2009104466.tif 000009
【図８】
2009104466.tif 000010